(57)【要約】【課題】額縁、盆、花台、飾り棚、裁縫箱、小物入れ箱や衝立などの木製品の外観表面を、凹凸や図形による模様が現出されて新規な美感を呈するように形成することを、簡易且つ安価に実現させる。【解決手段】木材を成形加した木材成形品の外観表面対応個所２ａに対し、適宜形状に裁断された紙、布、革片などを散点状に且つ必要に応じて重ね合わせ状に貼着すると共に、この紙、布、革片などの接着された外観表面対応個所２ａに中塗り樹脂４を塗布し、次にこの中塗り樹脂４の塗布された面に複数の異なる色のウレタン塗料６、７、８を塗布するほか、上記ウレタン塗料６、７、８の重ね塗りされた面を適宜に研磨し、あとこの研磨された面に対しクリアー塗装１２を施す。【選択図】図６
2006346616.tif 000002
【特許請求の範囲】
【請求項１】
木材を成形加した木材成形品の外観表面対応個所に対し、適宜形状に裁断された紙、布、革片などを散点状に且つ必要に応じて重ね合わせ状に貼着すると共に、この紙、布、革片などの接着された外観表面対応個所に中塗り樹脂を塗布し、次にこの中塗り樹脂の塗布された面に複数の異なる色のウレタン塗料を塗布するほか、上記ウレタン塗料の重ね塗りされた面を適宜に研磨し、あとこの研磨された面に対しクリアー塗装を施すことを特徴とする木製品の外観表面形成方法。
【請求項２】
紙、布、革片などの大きさは平面積を凡そ２ｃｍ２〜２００ｃｍ２となした三角形、方形、台形、円形、楕円形などの各種断裁片となされることを特徴とする請求項１記載の木製品の外観表面形成方法。
【請求項３】
紙、布、革片などの各種断裁片を貼着する或いはこれら各種断裁片の貼着されない木材成形品の外観表面対応個所に対し、ウレタン樹脂による下塗り処理を施されるものとなしてあることを特徴とする請求項１又は２記載の木製品の外観表面形成方法。
【請求項４】
木材を成形加した単一の木材成形品の外観表面対応個所に、又は前記木材成形品を組み立てて木材成形品組立体となした後のこれの外観表面対応個所に対しウレタン樹脂による下塗り処理を施すか、施さない状態で適宜形状に断裁された紙、布、革片などの各種裁断片を散点状に且つ適宜な凹凸が形成されるように重ね合わせ状に貼着すると共に、この凹凸の形成された外観表面対応個所に中塗り樹脂を１回若しくは複数回塗布し、次にこの中塗り樹脂の塗り付けられた面に複数の異なる色のウレタン塗料を重ね塗りするほか、上記ウレタン塗料の重ね塗りされた面を適宜に研磨し、あとこの研磨された面にクリアー塗装を施すことを特徴とする木製品の外観表面形成方法。
【請求項５】
断裁片として布を貼着し且つウレタン塗料の重ね塗りされた面を適宜に研磨すると共に、この研磨後の表面に複数の異なる色や凹凸による模様を現出させるさい、研磨後の表面に布片の外形や布片上の模様以外に布片の織り目や繊維目が透けて見えるように研磨させることを特徴とする請求項４記載の木製品の外観表面形成方法。
【発明の詳細な説明】
【技術分野】
【０００１】
本発明は、額縁、盆、花台、飾り棚、裁縫箱、小物入れ箱や衝立などの木製品の外観表面形成方法に関するもので、新規な美感を呈する外観表面を簡易且つ安価に現出させるものである。
【背景技術】
【０００２】
上記木製品の外観表面を凹凸や図形による模様の現出された状態に形成するには、例えば、木材成形品の外観表面対応個所を削って凹凸模様を形成し、次に外観表面対応個所をサンドペーパで生地研磨し、次に木目を消すためにウレタン樹脂（シーラー）を塗布し、次に外観表面対応個所をサンドペーパーで仕上研磨し、この後、研磨された面上に模様などを描くように実施する。
【０００３】
木製品の外観表面を形成するための公知技術情報として特許文献１に示すようなものがある。
【０００４】
【特許文献１】特開２００２−３４７００７号公報
【発明の開示】
【発明が解決しようとする課題】
【０００５】
上記した従来の木製品の外観表面の形成方法では生地研磨や仕上研磨が必要となるほか外観表面対応個所に模様を描くため、多くの手間やコストを必要とする。
【０００６】
本発明は、額縁、盆、花台、飾り棚、裁縫箱、小物入れ箱や衝立などの木製品の外観表面を、凹凸や図形による模様が現出されて新規な美感を呈するように形成することを、簡易且つ安価に実現させることを目的とする。
【課題を解決するための手段】
【０００７】
上記目的を達成するため、第１発明の方法は、請求項１に記載したように、木材を成形加した木材成形品の外観表面対応個所に対し、適宜形状に裁断された紙、布、革片などを散点状に且つ必要に応じて重ね合わせ状に貼着すると共に、この紙、布、革片などの接着された外観表面対応個所に中塗り樹脂を塗布し、次にこの中塗り樹脂の塗布された面に複数の異なる色のウレタン塗料を塗布するほか、上記ウレタン塗料の重ね塗りされた面を適宜に研磨し、あとこの研磨された面に対しクリアー塗装を施すことを特徴とする。
【０００８】
この発明は次のように具体化する。
即ち、請求項２に記載したように、紙、布、革片などは平面積を凡そ２ｃｍ２〜２００ｃｍ２となした三角形、方形、台形、円形、楕円形などの各種断裁片となされる。
【０００９】
また請求項３に記載したように、紙、布、革片などの各種断裁片を貼着する或いはこれら各種断裁片の貼着されない木材成形品の外観表面対応個所に対し、ウレタン樹脂による下塗り処理を施す。
【００１０】
次に第２発明の方法は、請求項４に記載したように、木材を成形加した単一の木材成形品の外観表面対応個所に、又は前記木材成形品を組み立てて木材成形品組立体となした後のこれの外観表面対応個所に対しウレタン樹脂による下塗り処理を施すか、施さない状態で適宜形状に断裁された紙、布、革片などの各種裁断片を散点状に且つ適宜な凹凸が形成されるように重ね合わせ状に貼着すると共に、この凹凸の形成された外観表面対応個所に中塗り樹脂を１回若しくは複数回塗布し、次にこの中塗り樹脂の塗り付けられた面に複数の異なる色のウレタン塗料を重ね塗りするほか、上記ウレタン塗料の重ね塗りされた面を適宜に研磨し、あとこの研磨された面にクリアー塗装を施すことを特徴とする。
【００１１】
この発明では、請求項５に記載したように、断裁片として布を貼着し且つウレタン塗料の重ね塗りされた面を適宜に研磨すると共に、この研磨後の表面に複数の異なる色や凹凸による模様を現出させるさい、研磨後の表面に布片の外形や布片上の模様以外に布片の織り目や繊維目が透けて見えるように研磨することも差し支えない。
【発明の効果】
【００１２】
以上のような本発明によれば次のような効果が得られる。
即ち、
請求項１記載の方法によれば、木材を成形加工したものである木材成形品の外観表面対応個所に適宜形状に裁断された布片を散点状に且つ必要に応じて重ね合わせ状に貼着することから、前記外観表面対応個所に紙、布、革片などの各種裁断片の外形や模様や織り目や材料による任意な模様が形成される。そして、裁断片の貼着された外観表面対応個所に中塗り樹脂を塗布することから、裁断片や木材成形品の生地が中塗り樹脂層で覆われて保護されると共に、木材成形品の外観表面対応個所に、裁断片の厚みや塗料自体の厚みに起因した最大高さ数ｍｍ程度の凹凸が形成される。そして、中塗り樹脂の塗布された面に複数の異なる色のウレタン塗料を重ね塗りし、次にこのウレタン塗料の重ね塗りされた面を適宜に研磨することから、研磨後の表面にウレタン塗料の複数の色が散点状に現出されると共に、裁断片の外形や裁断片上の模様のほか必要に応じ布片の織り目や繊維目が透けて見えるようになる。そして、このように研磨された面にクリアーを塗布することから、木製品の外観表面の色や模様に光沢や深みが付加されるほか、その外観表面は硬質層で覆われて傷の発生し難いものとなる。こうして、新規な美観を呈する木製品の外観表面が時間と手間のかかる生地研磨や仕上研磨を要することなく、しかも模様を描くなどの手間を要することなく形成されるものとなって簡易且つ安価に得られるのである。とりわけ廃棄処分される各種包装紙や古着類や同革製品の有効な再生利用の図れる上で著効がある。
【００１３】
また請求項２記載の発明によれば、請求項１記載の発明と同様な効果が得られる上に次のような効果が得られるのであって、即ち、額縁、盆、花台、飾り棚、裁縫箱、小物入れ箱や衝立などの木製品の外観表面にそれらにふさわしい美観が現出されるのである。例えば、外観表面が比較的小さいときには平面積が２ｃｍ２程度の裁断片が使用されて変化に富んだ模様が現出されるようになり、また外観表面が比較的大きいときには平面積が２００ｃｍ２程度の裁断片が使用されてバランスのよい模様が現出されるようになる。
【００１４】
また請求項３記載の発明によれば、請求項１又は２記載の発明と同様な効果が得られる上に次のような効果が得られるのであって、即ち、ウレタン樹脂による下塗り処理が紙、布、革片などの各種断裁片の上側に施されるか或いはこれとは逆に下側に施されるかによって、木製品の外観表面に現出される模様の感じが異なったものとなり、木製品の外観表面の美観の多様性を増大させることができる。
【００１５】
また請求項４記載の発明によれば、単一の木材成形品又は木材成形品組立体の何れであっても、請求項１記載の発明と同様な効果が得られるのであり、また下塗りされたウレタン樹脂の上に中塗り樹脂を１回若しくは複数回塗布するため、この中塗り樹脂が外観表面に比較的大きな凹凸を現出させるものとなるのである。
【００１６】
さらに請求項５記載の発明によれば、請求項４記載の発明の効果が得られる上に次のような効果が得られるのであって、即ち、ウレタン塗料の重ね塗りされた面を適宜に研磨してこの研磨後の表面に複数の異なる色や凹凸による模様を現出させる際に、研磨後の表面に布片の外形や布片上の模様のほか必要に応じ布片の織り目や繊維目が透けて見えるようにすることから、木製品の外観表面に現出される模様を先に貼着された布片の外形に明確に対応したものとなすことができ、或いは先に貼着された布片に対応した質感を木製品の外観表面に顕著に表現することができ、或いは先に貼着された布片の織り目や繊維目による繊細な模様を木製品の外観表面に現出させることができる。
【発明を実施するための最良の形態】
【００１７】
以下、本発明の実施の形態について図面を参照して詳細に説明する。
図１は本発明の実施に使用される材料をなすもので額縁用の木材成形品組立体を示す斜視図、図２は適宜な形状に裁断された布片を示す図、図３は前記木材成形品組立体の外観表面対応個所に布片を貼着した状態を示す部分図、図４は前記木材成形品組立体の一部を示すものであって外観表面対応個所に布片が貼られ且つウレタン樹脂塗料及びエステル樹脂塗料の塗られた状態を示す図、図５は図４に示す前記木材成形品組立体のｘ１−ｘ１部にウレタン塗装を重ね塗りした状態を示す断面図、図６は図４に示す前記木材成形品組立体のｘ１−ｘ１部にウレタン塗装及びクリアーを塗布した状態を示す断面図、図７は本発明の実施により外観表面を形成された木製品としての額縁を示す図である。
【００１８】
先ず、木材を成形加工したものである木材成形品を用意する。この際、単一の木材成形品を用意する場合のほか、例えば図１に示すように複数の木材成形品１を組み立てた木材成形品組立体（図示例では額縁となされるものが描かれている。）２を用意する場合もある。
【００１９】
ここに、単一の木材成形品を用意する場合は、例えば盆などのように１つの木製品が単一の木材成形品で形成されるものである場合であり、また木材成形品組立体２を用意するというのは、例えば額縁などのように１つの木製品が複数の木材成形品１を組み立てることにより形成されるような場合である。
【００２０】
一方では、各種模様紙、包装紙など、そしてナイロンやポリエステルなどの化繊とか、綿や絹などの自然材繊維を織った布（古着類など）とか、不織布、その他は革類（古革など）を用意し、これらをはさみなどで適宜裁断するか、或いは切抜き形状の異なる複数種類の切抜き型を使用して切り抜くなどして、図２に示すように三角や四角などの多角形のほか円形や楕円形などからなる任意な形状の裁断片３を多数形成する。これらの裁断片は専ら廃棄処分される各種包装紙や古着類、同革製品などが好適に使用されるのであり、このさい裁断片の大きさは平面積で凡そ２ｃｍ２〜２００ｃｍ２となされる。
【００２１】
そして、単一の木材成形品の外観表面対応個所に、又は図３に示すような木材成形品組立体２の外観表面対応個所２ａに、この裁断片３を接着剤により散点状に且つ必要に応じて各種形状のものの適当枚数が適宜同一或いは異なる位置で重ね合わせ状態に貼着させられる。この貼着に使用される接着剤は木と裁断片３を強力に接着させるものであれば、どのようなものであってもよい。また裁断片３は複数の木材成形品１の結合個所ａ１の存在を目立たなくするように貼り付けるのが好ましいのであり、例えば複数の木材成形品１の結合個所ａ１を跨ぐように配置し貼り付ける。
【００２２】
次に、裁断片３の貼着に使用された接着剤が乾いた後、前記外観表面２ａの全範囲又は、前記外観表面対応個所２ａのうち裁断片３の貼られていない範囲の生地に透明なウレタン樹脂（シーラー）ｓを下塗りとして一回塗布する。このウレタン樹脂の塗布は木材成形品の木目（木の導管）を埋めて平坦面となす（目止め）ために行われるのであり、これにより図７に示す最終的な木製品の外観表面２ｂに木目の現れない高級品となる。
【００２３】
ウレタン樹脂ｓの塗布は裁断片３の貼着を行う前に行ってもよいのであり、このようにすると、裁断片３の貼着される範囲が確定していないため、裁断片３の貼着される範囲の生地部分にもウレタン樹脂ｓを塗布することが必要となる。
【００２４】
次にこのウレタン樹脂ｓが乾いた後、図５に示すように、ウレタン樹脂ｓの塗り付けられた面に透明なエステル樹脂４を中塗り処理としてスプレイガンなどで塗布し、その表面に例えば最大高さと最低高さの差（最大高低差）が凡そ数ｍｍ程度となる凹凸を現出させて図４に示すような状態となす。図４中、５ａが凸部で、５ｂが凹部である。このエステル樹脂４の塗布は、塗料の粘度を比較的高くして塗布するのであり、このほか各種裁断片３の重ね位置やその枚数などの厚さに起因した塗装面の凹凸や、エステル樹脂４自体の凝集による不規則な凹凸が形成されるのであり、専らエステル樹脂４が木材成形品の生地の目止めを補足するように作用する。なお、凹凸の最大高低差の大きさはエステル樹脂４の粘度の大小を変化させるようにしても調整される。
【００２５】
次にこのエステル樹脂４の乾いた後、エステル樹脂４の塗布された面に複数の異なる色のウレタン塗料６、７をスプレーガンで重ね塗りする。例えば図５に示すように、先ず下層塗りとして、金色や銀色のウレタン塗料６を塗布し次にこれが乾いた後に朱色のウレタン塗料７を重ねて塗布するのであり、そして朱色のウレタン塗料７が乾いた後に上層塗りとして、黒色のウレタン塗料８を塗布する。この重ね塗りの際のウレタン塗料６、７、８の色は木製品の種類や購買者の希望により適宜に変更して差し支えないのであり、またこの重ね塗りにおいてウレタン塗料を使用したことはその研磨処理を的確且つ円滑に行う上で寄与する。
【００２６】
次に重ね塗りされたウレタン塗料６、７、８の乾いた後、ウレタン塗料６、７、８の重ね塗りされた個所を２４０番〜３２０番程度のサンドベーパーを使用したエアーサンダーにより種々異なる厚さ研磨して異なる色のウレタン塗料６、７、８を散点状に露出させることにより、図７に示すように研磨後の表面にそれぞれが異なる色となされた複数の単一色範囲９ａ、９ｂ、９ｃや凹凸による形状１０を現出させるのである。こうして外観表面２ａに現われる模様は平面上に描かれた模様に較べて立体感や深みが具わり且つウレタン塗料６、７、８の色相互間が無段階に変化したものとなる。
【００２７】
この研磨において、表面に裁断片３の外形や、裁断片３上に表された模様や、裁断片３の織り目１１とか、不織布の繊維目が透けて見えるように、ウレタン塗料６、７、８の重ね塗り個所の研磨量を調整するのが好ましい。これにより、外観表面対応個所２ａに現出される模様は、容易に手で描くことのできないような緻密なものとなり、また外観表面対応個所２ａに現出される模様が先に貼着された裁断片３の外形に対応したものとなったり、先に貼着された裁断片３の各種色彩や模様及び織り目１１などの輻輳状態が現出されるものとなる。而して、これらは専ら幾何学的色彩や模様であり、且つ適宜大きさの裁断片３の重ね合わせで形成される凹凸が独特な彫刻感と質感を具わせるものとなるのである。
【００２８】
最後に図６に示すように、このように研磨された表面に透明な硬質のクリアー１２をスプレーガンなどにより２回塗布するのであり、これにより、最終的に得られる図７に示す木製品としての額縁の外観表面２ｂに現出される模様に光沢が付与されると共に、クリアー１２の表面に傷の発生することが防止されて外観表面に現れる模様がいつまでも美しい状態に維持される。またクリアーの成分調整により外観表面２ｂの光沢の度合いが任意に調整される。こうして得られる外観表面は恰も釉薬で発色された陶器肌に近い質感を呈するものとなすことができる。
なお、図５及び図６中、１３は木製品としての額縁に挿入された絵画である。
【００２９】
本発明は次のように変形できる。
即ち、上記の実施形態で使用される塗料にはエステル樹脂やウレタン塗料を使用したが、ラッカー塗料を使用することも可能である。
【００３０】
また上記実施形態におけるウレタン樹脂（シーラー）ｓの塗布は省略しても差し支えない。この場合には、裁断片３を貼着した直後に外観表面対応個所２ａにエステル樹脂４を中塗り処理として塗り付けるように実施するのであり、その他は既述したところと同様に実施する。
【図面の簡単な説明】
【００３１】
【図１】本発明の実施に使用されるもので額縁となされる木材成形品組立体を示す斜視図である。
【図２】適宜な形状に裁断された布片を示す図である。
【図３】前記木材成形品組立体の外観表面対応個所に布片を貼着した状態を示す部分図である。
【図４】前記木材成形品組立体の一部を示すものであって外観表面対応個所に布片が貼られ且つウレタン樹脂及びエステル樹脂の塗られた状態を示す図である。
【図５】図４に示す前記木材成形品組立体のｘ１−ｘ１部にウレタン塗装を重ね塗りした状態を示す断面図である。
【図６】図４に示す前記木材成形品組立体のｘ１−ｘ１部にウレタン塗装及びクリアーを塗布した状態を示す断面図である。
【図７】本発明の実施により外観表面を形成された木製品としての額縁を示す図である。
【符号の説明】
【００３２】
１  木材成形品
２ａ  外観表面対応個所
２ｂ  外観表面
３  布片
４  エステル樹脂（中塗り樹脂）
５ａ  凸部
５ｂ  凹部
６  ウレタン塗料
７  ウレタン塗料
８  ウレタン塗料
１１  織り目
１２  クリアー
ｓ  ウレタン樹脂（シーラー）
【図１】
2006346616.tif 000003
【図２】
2006346616.tif 000004
【図３】
2006346616.tif 000005
【図４】
2006346616.tif 000006
【図５】
2006346616.tif 000007
【図６】
2006346616.tif 000008
【図７】
2006346616.tif 000009